(57)【要約】【課題】オイルを高充填でブリードアウト（オイルの滲みだし）がなく、より軟質な樹脂材料の提供と、より臓器に近い軟質性と体積抵抗率を有し、取り扱いが容易なＥＳＤの手技練習用モデルの提供。【解決手段】成分（Ａ）ＭＦＲ（温度２３０℃、荷重２．１６ｋｇで測定）１ｇ／１０ｍｉｎ．以下の水添ブロック共重合体１００質量部と成分（Ｂ）オイルを１００質量部より多く、１０００質量部以下、および成分（Ｃ）導電性付与材を１種類もしくは２種類以上含むＥＳＤの手技練習用モデル向け導電性樹脂材料。【選択図】なし【特許請求の範囲】
【請求項１】
成分（Ａ）としてＭＦＲ（温度２３０℃、荷重２．１６ｋｇで測定）１ｇ／１０ｍｉｎ．以下の水添ブロック共重合体１００質量部と、成分（Ｂ）として、成分（Ａ）１００質量部に対してオイルを１００質量部以上、１０００質量部以下、並びに、成分（Ｃ）として、導電性セラミックフィラー（Ｃ１）、帯電防止剤（Ｃ２）、カーボンブラック（Ｃ３）から選ばれる１種類以上である導電性付与剤からなる、導電性樹脂組成物。
【請求項２】
成分（Ｃ）の導電性付与剤の添加量が以下である、請求項１に記載の導電性樹脂組成物。
・（Ｃ１）導電性セラミックフィラーを、成分（Ａ）１００質量部に対して１０質量部以上、１０００質量部以下。
・（Ｃ２）帯電防止剤を、成分（Ａ）１００質量部に対して１０質量部以上、２４０質量部以下。
・（Ｃ３）カーボンブラックを、成分（Ａ）１００質量部に対して１０質量部以上、５００質量部以下。
【請求項３】
Ｅ硬度が３〜７０である、請求項１または２に記載の導電性樹脂組成物。
【請求項４】
体積抵抗率が１×１０2〜１×１０１1Ω・ｃｍである、請求項１〜３のいずれか１項に記載の導電性樹脂組成物。
【請求項５】
請求項１〜４のいずれか１項に記載の導電性樹脂組成物を用いた内視鏡手術または腹腔鏡手術用の手技練習用モデル。
【請求項６】
請求項１〜４のいずれか１項に記載の導電性樹脂組成物を用いた内視鏡的剥離術（ＥＳＤ）の手技練習用モデル。
【請求項７】
請求項１〜４のいずれか１項に記載の導電性樹脂組成物を用いた臓器モデル。
【発明の詳細な説明】
【技術分野】
【０００１】
本発明は、導電性樹脂組成物および、医師又は医学生が内視鏡や腹腔鏡を用いた手術の手技を練習するために用いられる手技練習用モデルや臓器モデルに関する。
【背景技術】
【０００２】
近年、人体に対する負担が少なく、早期の回復が期待できる低侵襲手術、たとえば内視鏡や腹腔鏡を用いた手術、に対する期待が高まり、その事例が増加している。例えば、臓器内部粘膜の下層に出来た腫瘍を内視鏡下で摘出する(内視鏡的粘膜下層剥離術：以下、ＥＳＤ)ことにより、通常の開腹手術と比較して小規模な傷口で手術を行うことができる。そのため、患者にとって身体的負担が軽くなり、また、短い入院期間で早期の社会復帰が期待される。しかし、このＥＳＤを行うには十分な技量を持った医師が十分ではないため、このようなＥＳＤの手技練習用モデルに対する需要が高まってきている。
【０００３】
これまでに、内視鏡的粘膜切除術（ＥＭＲ）、及び内視鏡的剥離術（ＥＳＤ）等の内視鏡手術、および腹腔鏡手術の練習に用いることのできる各種モデルが提案されている（特許文献１）が、これらは親油性樹脂（例えばオイルを含有する炭化水素系樹脂材料）を用いていない。一方、非常に軟質な炭化水素系樹脂を用いた、保存性や臓器類似の風合いを有する手技練習用モデル用の樹脂組成物が提案されている。
【先行技術文献】
【特許文献】
【０００４】
【特許文献１】特開２００８−１９７４８３号公報
【特許文献２】ＷＯ２０１７／０３０１４５号パンフレット
【発明の概要】
【発明が解決しようとする課題】
【０００５】
従来の内視鏡手術トレーニングモデルはポリビニルアルコールが主な原料であり一定量の水分を含んでいるため、水分量の管理や防腐措置のための手段（密閉容器を用いた冷蔵庫保管）が必要であり、そのような措置をとっても長期の保管が困難であった。また、従来の炭化水素系樹脂は、電気メスでの医療措置には対応しておらず、保存性、臓器類似の風合い及び電気メス対応の樹脂材料が望まれている。電気メスには２種類の切開・凝固方法がある。１つ目は高周波電流により人体を抵抗体として発生するジュール熱によって切開・凝固する方法である。２つ目は、超音波による摩擦熱によって切開・凝固する方法である。ＥＳＤにおいては内視鏡先端部の鉗子出口から電気メスを出して施術を行うが、その際に用いられる電気メスは、主にジュール熱で切開・凝固する方式のものである。
【０００６】
そこで、本発明の主な目的は、ＥＭＲやＥＳＤ等の内視鏡手術、あるいは腹腔鏡手術にて、使用する電気メスを用いた手技の練習を可能にする親油性樹脂及びオイルを含有する炭化水素系樹脂材料を提供することである。
【課題を解決するための手段】
【０００７】
以上の課題を解決する手段は以下の通りである。
〔１〕成分（Ａ）としてＭＦＲ（温度２３０℃、荷重２．１６ｋｇで測定）１ｇ／１０ｍｉｎ．以下の水添ブロック共重合体１００質量部、成分（Ｂ）として、成分（Ａ）１００質量部に対してオイルを１００質量部以上、１０００質量部以下、並びに、成分（Ｃ）として、導電性セラミックフィラー（Ｃ１）、帯電防止剤（Ｃ２）、カーボンブラック（Ｃ３）から選ばれる１種類以上である導電性付与剤からなる、導電性樹脂組成物。
〔２〕成分（Ｃ）の導電性付与剤の添加量が以下である、〔１〕に記載の導電性樹脂組成物。
・（Ｃ１）導電性セラミックフィラーを、成分（Ａ）１００質量部に対して１０質量部以上、１０００質量部以下。
・（Ｃ２）帯電防止剤を、成分（Ａ）１００質量部に対して１０質量部以上、２４０質量部以下。
・（Ｃ３）カーボンブラックを、成分（Ａ）１００質量部に対して１０質量部以上、５００質量部以下。
〔３〕Ｅ硬度が３〜７０である、〔１〕または〔２〕に記載の導電性樹脂組成物。
〔４〕体積抵抗率が１×１０2〜１×１０１1Ω・ｃｍである、〔１〕〜〔３〕のいずれか１項に記載の導電性樹脂組成物。
〔５〕〔１〕〜〔４〕のいずれか１項に記載の導電性樹脂組成物を用いた内視鏡手術または腹腔鏡手術用の手技練習用モデル。
〔６〕〔１〕〜〔４〕のいずれか１項に記載の導電性樹脂組成物を用いた内視鏡的剥離術（ＥＳＤ）の手技練習用モデル。
〔７〕〔１〕〜〔４〕のいずれか１項に記載の導電性樹脂組成物を用いた臓器モデル。
【発明の効果】
【０００８】
本発明により、例えば、より生体の臓器に近い軟質性と感触を有し、生体と同程度の体積抵抗率を有し、電気メスが使用可能で、耐久性に優れ、取り扱いが容易な炭化水素系樹脂組成物、及びそれを用いた手技練習用モデルを提供できる。
【発明を実施するための形態】
【０００９】
＜成分（Ａ）水添ブロック共重合体＞
本発明で用いられる水添ブロック共重合体は、芳香族ビニルから導かれるブロック重合単位（Ｘ）と共役ジエンから導かれるブロック重合単位（Ｙ）とからなる芳香族ビニル・共役ジエンブロック共重合体の水添物であることが好ましい。
【００１０】
このような構成の芳香族ビニル・共役ジエンブロック共重合体の形態は、たとえばＸ（ＹＸ）ｎ又は（ＸＹ）ｎ〔ｎは１以上の整数〕で示される。これらの中では、Ｘ（ＹＸ）ｎの形態のもの、特にＸ−Ｙ−Ｘの形態のものが好ましい。Ｘ−Ｙ−Ｘの形態のものとしては、ポリスチレン−ポリブタジエン−ポリスチレンブロック共重合体、ポリスチレン−ポリイソプレン−ポリスチレンブロック共重合体、ポリスチレン−ポリイソプレン・ブタジエン−ポリスチレンブロック共重合体からなる群から選択される１種以上の共重合体が好ましい。
【００１１】
このような芳香族ビニル・共役ジエンブロック共重合体では、ハードセグメントである芳香族ビニルブロック単位（Ｘ）が、共役ジエンゴムブロック単位（Ｙ）の橋かけ点として存在して擬似架橋（ドメイン）を形成している。この芳香族ビニルブロック単位（Ｘ）間に存在する共役ジエンゴムブロック単位（Ｙ）は、ソフトセグメントであってゴム弾性を有している。
【００１２】
ブロック重合単位（Ｘ）を形成する芳香族ビニルとしては、スチレン、α−メチルスチレン、３−メチルスチレン、ｐ−メチルスチレン、４−プロピルスチレン、４−ドデシルスチレン、４−シクロヘキシルスチレン、２−エチル−４−ベンジルスチレン、４−（フェニルブチル）スチレン、１−ビニルナフタレン、２−ビニルナフタレン等が挙げられる。これらの中では、スチレンが好ましい。
【００１３】
ブロック重合単位（Ｙ）を形成する共役ジエンとしては、ブタジエン、イソプレン、ペンタジエン、２，３−ジメチルブタジエン及びこれらの組合せ等が挙げられる。これらの中では、ブタジエン、イソプレン、ブタジエンとイソプレンとの組み合わせ（ブタジエン・イソプレンの共重合）からなる群から選択される１種以上の共役ジエンが好ましい。これらのうち１種以上の共役ジエンを組み合わせて用いることもできる。ブタジエン・イソプレン共重合単位からなる共役ジエンブロック重合単位（Ｙ）は、ブタジエンとイソプレンとのランダム共重合単位、ブロック共重合単位、テーパード共重合単位の何れであってもよい。
【００１４】
上記のような芳香族ビニル・共役ジエンブロック共重合体では、芳香族ビニルブロック重合単位（Ｘ）の含有量が５質量％以上５０質量％以下であることが好ましく、２０質量％以上４０質量％以下であることがより好ましい。この芳香族ビニル単位の含有量は赤外線分光、ＮＭＲ分光法等の常法によって測定することができる。
【００１５】
成分（Ａ）のメルトフローレート（ＭＦＲ）（温度２３０℃、荷重２．１６ｋｇ）は、１ｇ／１０分以下であり、好ましくは０．１ｇ／１０分以下である。ＭＦＲ（温度２３０℃、荷重２．１６ｋｇ）とは、ＪＩＳ  Ｋ７２１０に準拠し、温度２３０℃、荷重２．１６ｋｇの条件下で測定するＭＦＲをいう。ＭＦＲが本値より高いと、オイルを添加した際にブリードアウトし易くなったり、力学的強度が低下したりしてしまう。
【００１６】
上記のような芳香族ビニル・共役ジエンブロック共重合体は、種々の方法により製造することができる。製造方法としては、（１）ｎ−ブチルリチウム等のアルキルリチウム化合物を開始剤として、芳香族ビニル、次いで共役ジエンを逐次重合させる方法、（２）芳香族ビニル、次いで共役ジエンを重合させ、これをカップリング剤によりカップリングさせる方法、（３）リチウム化合物を開始剤として、共役ジエン、次いで芳香族ビニルを逐次重合させる方法等を挙げることができる。
【００１７】
本発明で用いられる水添ブロック共重合体は、上記のような芳香族ビニル・共役ジエンブロック共重合体を公知の方法により水添した物であることが好ましく、水添率は９０モル％以上である。この水添率は、共役ジエンブロック重合単位（Ｙ）中の炭素−炭素二重結合の全体量を１００モル％としたときの値である。このような水添ブロック共重合体（Ａ）としては、ポリスチレン−ポリ（エチレン／プロピレン）ブロック（ＳＥＰ）、ポリスチレン−ポリ（エチレン／プロピレン）ブロック−ポリスチレン（ＳＥＰＳ）、ポリスチレン−ポリ（エチレン／ブチレン）ブロック−ポリスチレン（ＳＥＢＳ）、ポリスチレン−ポリ（エチレン−エチレン／プロピレン）ブロック−ポリスチレン（ＳＥＥＰＳ）等が挙げられる。より具体的には、ＳＥＰＴＯＮ（クラレ（株）社製）、クレイトン（Ｋｒａｔｏｎ；シェル化学（株）社製）、クレイトンＧ（シェル化学（株）社製）、タフテック（旭化成（株）社製）（以上商品名）等が挙げられる。
【００１８】
水添率は、核磁気共鳴スペクトル解析（ＮＭＲ）等の公知の方法により測定する。
【００１９】
本発明では、水添ブロック共重合体（Ａ）として、ＳＥＥＰＳが好ましい。水添ブロック共重合体（Ａ）の形状は、混練前のオイル吸収作業の観点から、粉末又は無定形（クラム）状が好ましい。
【００２０】
＜成分（Ｂ）オイル＞
成分（Ｂ）オイルとしては、パラフィン系プロセスオイル、ナフテン系プロセスオイル、芳香族系プロセスオイルや流動パラフィン等の鉱物油系オイル、シリコンオイル、ヒマシ油、アマニ油、オレフィン系ワックス、鉱物系ワックス等が挙げられる。これらの中では、パラフィン系及び／又はナフテン系のプロセスオイルが好ましい。プロセスオイルとしては、ダイアナプロセスオイルシリーズ（出光興産社製）、ＪＯＭＯプロセスＰ（ジャパンエナジー社製）等が挙げられる。
成分（Ｂ）オイルは、例えば、樹脂組成物を軟質化し、臓器モデルの弾性率や硬度を調整するために用いる。上記のうち１種以上のオイルを組み合わせて用いることもできる。
成分（Ｂ）オイルは、事前に成分（Ａ）に吸収させておくのが作業性の点で好ましい。
【００２１】
成分（Ｂ）であるオイルの使用量は、成分（Ａ）１００質量部に対して、１００質量部以上が好ましい。成分（Ｂ）オイルの使用量は、成分（Ａ）１００質量部に対して１０００質量部以下であり、７００質量部以下が好ましく、６００質量部以下がより好ましく、５００質量部以下が最も好ましい。オイルの使用量は上記の範囲内で、実際にモデルとなる臓器の部位、病変により調製される。成分（Ｂ）オイルの使用量が、成分（Ａ）１００質量部に対して１００質量部未満だと軟質性が不足する場合があり、１０００質量部を超えるとオイルを吸蔵できないためコンパウンドができない。オイルが５００質量部を超えるとオイルが染み出す（ブリードアウト）場合がある。
【００２２】
＜成分（Ｃ）導電性付与材＞
成分（Ｃ）導電性付与材としては(Ｃ１)導電性セラミックフィラー、（Ｃ２）帯電防止剤、（Ｃ３）カーボンブラックから選ばれる１種類以上を用いることができる。(Ｃ１)導電性セラミックフィラーは、樹脂組成物に導電性を付与する目的のために使用することができる。(Ｃ１)導電性セラミックフィラーとしては、ＡＺＯ、ＡＴＯ、及びＡＴＯ被覆マイカ、ＡＴＯ被覆酸化チタン、ＳｎＯ２被覆酸化チタン、ＳｎＯ２被覆チタン酸カリウム等が挙げられる。これらの中では、被覆マイカ、ＡＴＯ被覆酸化チタン、ＳｎＯ２被覆酸化チタン、ＳｎＯ２被覆チタン酸カリウムからなる群から選択される１種以上が好ましく、ＳｎＯ２被覆酸化チタンがより好ましい。本(Ｃ１)導電性セラミックフィラーを配合する場合、成分（Ａ）１００質量部に対して１０〜１０００質量部の範囲が好ましい。１０００質量部を超えると、オイルの配合組成によってはブリードアウトを促進してしまう場合がある。
【００２３】
(Ｃ１)導電性セラミックフィラーとして、好ましくはＳｎＯ２被覆酸化チタンが用いられる。ＳｎＯ２被覆酸化チタンの比表面積（ＢＥＴ法、ＪＩＳＺ ８８３０：２０１３）は、１ｍ２／ｇ以上３０ｍ２／ｇの範囲が、導電性の点から好ましい。本発明の樹脂組成物および通常の樹脂は一般に無機フィラーを充填すると硬度が上昇し、力学物性が低下するが、本発明の樹脂組成物にＳｎＯ２被覆酸化チタンを配合しても硬度の上昇を抑制することが出来る。
【００２４】
（Ｃ２）帯電防止剤は、成分（Ａ）１００質量部に対して、１０質量部以上、２４０質量部以下含むことが好ましい。（Ｃ２）帯電防止剤は、好ましくはポリオレフィン／ポリエーテル共重合体もしくはポリアミド／ポリエーテル共重合体から選ばれる１種以上であり、好ましくはポリオレフィン／ポリエーテル共重合体である。
【００２５】
（Ｃ２）帯電防止剤として、好ましくはポリオレフィン／ポリエーテル共重合体が用いられる。ポリオレフィン／ポリエーテル共重合体のメルトフローレート（ＭＦＲ（温度１９０℃、荷重２．１６ｋｇ））は、８ｇ／１０分以上であり、好ましくは１５ｇ／１０分以上の範囲が、分散性の点から好ましい。
【００２６】
（Ｃ３）カーボンブラックを成分（Ａ）１００質量部に対して１０質量部以上、５００質量部以下含むことが好ましい。（Ｃ３）カーボンブラックのＢＥＴ法比表面積（ＢＥＴ一点法、ＪＩＳ Ｋ６２１７−２）が３０〜２００ｍ２／ｇの範囲である。
【００２７】
成分（Ａ）水添ブロック共重合体、成分（Ｂ）オイル、成分（Ｃ）導電性付与材を配合した導電性樹脂組成物は、軟質エラストマーとして好適に、種々の用途に使用することが出来る。例えば、文具やスポーツ用品、工具、自動車内装のグリップ材、電線被覆材、パッキン類、制振材、雑貨類に好適に用いられる。また、ロボットの表皮材や、特に好ましくは医療用の臓器モデル、ＥＳＤの手技練習用モデルとしても好適に使用できる。
【００２８】
本発明の上記導電性樹脂組成物には、必要に応じて上記、その他の樹脂、エラストマ−、ゴム、可塑剤、フィラ−や安定剤、老化防止剤、耐光性向上剤、紫外線吸収剤、軟化剤、滑剤、加工助剤、着色剤、防曇剤、ブロッキング防止剤、結晶核剤、発泡剤等を配合し、用いることが出来る。本発明の導電性樹脂組成物を製造するには、公知の適当なブレンド法を用いることができる。例えば、単軸、二軸のスクリュー押出機、バンバリー型ミキサー、プラストミル、コニーダー、加熱ロールなどで溶融混合を行うことができる。溶融混合を行う前に、ヘンシェルミキサー、リボンブレンダー、スーパーミキサー、タンブラーなどで各原料を均一に混合しておくこともよい。溶融混合温度はとくに制限はないが、１００〜３００℃、好ましくは１５０〜２５０℃が一般的である。本発明の各種組成物の成型法としては、真空成形、射出成形、ブロー成形、押出し成形等公知の成型法を用いることができる。
【００２９】
以下に、本発明の導電性樹脂組成物を用いた手技練習用モデルについて説明する。本発明の導電性樹脂組成物は、上記軟質性と体積抵抗率が生体臓器の物性に近いことが好ましい。本発明の樹脂組成物の内視鏡や腹腔鏡手術の手技練習用モデルでの利用に際し、目的を阻害しない範囲で、例えば、顔料、染料等の着色剤、香料、酸化防止剤、抗菌剤等の添加剤を使用しても良い。本発明の臓器モデルを生体の臓器に近似させるために、着色剤により生体の臓器に近似した色に着色することが好ましい。
【００３０】
本発明の導電性樹脂組成物は、オイルや添加物のブリードアウト（染み出し）がなく、成形加工が容易で、かつ軟質で、生体の臓器に近い感触と実用的なＥ硬度、体積抵抗率を有するので、ＥＳＤの手技練習用モデルの熱可塑性樹脂組成物として好適である。
以上に示してきた本組成の熱可塑性樹脂組成物は、臓器に近い軟質性と力学物性を有するために例えば、以下のような軟質性と体積抵抗率を有することが好ましい。
【００３１】
手技練習用モデルのＥ硬度は３〜７０の範囲が好ましい。本樹脂組成物の体積抵抗率は、１×１０２〜１×１０１1Ω・ｃｍが好ましく、１×１０２〜１×１０８Ω・ｃｍ以下がより好ましい。体積抵抗率がこの範囲であることで、電気メスでの切開が可能となる。体積抵抗率が１０１１Ω・ｃｍより高いと電気メスの使用が困難となり、１０２Ω・ｃｍより低いと実際の人体より容易に切開可能となり、練習に不向きとなる。
【００３２】
以上、手技練習用モデルの好ましい条件をすべて満たす、本発明の配合組成としては成分（Ａ）水添ブロック共重合体１００質量部に対し、成分（Ｂ）オイルが１００質量より多く５００質量部以下、成分（Ｃ）導電性付与材１種類もしくは２種類以上が上記の配合量配合されたものである。
【００３３】
さらに以下の条件を満たすことで、ＥＳＤの手技練習用モデルとして好ましい、軟質でありながら体積抵抗率が低いという特徴、具体的には体積抵抗率が１×１０８Ω・ｃｍ以下という条件を満たすことができる。
【００３４】
以上、本発明の導電性樹脂組成物の手技練習用モデルの代表例として、内視鏡的剥離術（ＥＳＤ）の手技練習用モデルについて説明したが、本発明の導電性樹脂組成物は、同様に上部消化器や下部消化器模型の対象部位に組み込み、あるいは貼り付けて、内視鏡下に止血操作を練習するための手技練習用潰瘍モデル、内視鏡的粘膜切除術（ＥＭＲ）の手技練習用モデル、または腹腔鏡手術用の手技練習用モデルにも適用可能である。
本発明の導電性樹脂組成物は、前記内視鏡や腹腔鏡手術の手技練習用モデル以外にも、一般的な臓器モデル用いることができる。一般的な臓器モデルとしては、心臓、肝臓、膵臓が好ましい。心臓、肝臓、膵臓の臓器モデルは手術の訓練に使用される。心臓、肝臓、膵臓の臓器モデルは、模擬手術時の切開端や縫合状態の維持が難しいという課題がある。即ち、メスで切開した端部から使用中に機械的な応力によって更に引き裂かれる現象、縫合した糸の張力により引き裂かれてしまう現象が発生するという課題がある。従来の素材は、糸引裂き強度や伸びが十分ではないためこれらの現象が起こりやすい。本発明の樹脂組成物は、生体の臓器、特にヒトの臓器と同等レベルの十分な糸引裂き強度や伸びを示すため、心臓、肝臓、膵臓の臓器モデル用として好ましい。例えば臓器モデル用の臓器３Ｄデータは以下のサイトから購入、ダウンロードすることが可能である。
http://www.3dscanstore.com/
http://3dprint.nih.gov/
http://3-d-craft.com/press/2607
http://www.model-wave.com/
【００３５】
本発明として、特に好ましくは、本発明の導電性樹脂組成物を用いたＥＳＤの手技練習用モデルである。具体的には上部消化器や下部消化器模型の対象部位に組み込み、あるいは貼り付けて、医師または医学生が、内視鏡的剥離術に関する手技を練習するにあたって用いる練習用モデルが挙げられる。具体的には上部消化器や下部消化器模型の対象部位に組み込み、あるいは貼り付けて、内視鏡下にがん等の病変粘膜や粘膜下層の剥離操作を、繰り返し練習するための手技練習用モデルである。
【００３６】
本発明の導電性樹脂組成物は、公知の成型方法により、手技練習用モデルや臓器モデルに成形することができる。例えば押出し成形、注型成形、射出成形、真空成形、ブロー成形等、目的の臓器モデルに合わせ様々な成型方法を用いることができる。以上、本発明の実施形態について述べたが、これらは本発明の例示であり、上記以外の様々な構成を採用することもできる。
【実施例】
【００３７】
以下、本発明の理解のために実施例を示すが、本発明は本実施例に限定されるものではない。特記しない限り、２３±１℃の環境下で実施した。
【００３８】
（１）材料
＜成分（Ａ）特定の条件を満たす水添ブロック共重合体＞
・ＳＥＥＰＳ（ＳＥＰＴＯＮ−Ｊ３３４１、クラレ社製）、ＭＦＲ（温度２３０℃、荷重２．１６ｋｇ）０．０ｇ／１０分（０．０ｇ／１０分とは流動しないことをいう）、スチレン含有量４０質量％、水添率９０モル％以上
＜成分（Ｂ）オイル＞
パラフィンオイル（出光興産社製ＰＷ−９０）
＜成分（Ｃ）導電性付与材＞
（Ｃ１）ＳｎＯ２被覆酸化チタン（大塚化学社製、デントールＷＫ−５００、針状：径０．３ｍｍ、長さ１５μｍ）、ＢＥＴ法比表面積１５〜３０（１５〜２５）ｍ２／ｇ
（Ｃ２）帯電防止剤（ポリオレフィン／ポリエーテル共重合体、三洋化成工業社製、ペレクトロンＰＶＬ）、メルトフローレート（ＭＦＲ（温度１９０℃、荷重２．１６ｋｇ））は、８ｇ／１０分以上であり、好ましくは１５ｇ／１０分以上の範囲のもの（１５ｇ／１０分）。
（Ｃ３）アセチレンブラック（デンカ社製デンカブラック、ＦＸ−３５）、ＢＥＴ法比表面積が１３３ｍ２／ｇ。
【００３９】
（２）混練方法
成分（Ａ）水添ブロック共重合体（ＳＥＰＴＯＮＪ−３３４１）は、無定形の粉末でメーカーより供給される。混練数日前に、水添ブロック共重合体に対し、所定量のオイルを滴下し十分に染みこませておいた。ブラベンダープラスチコーダー（ブラベンダー社製ＰＬ２０００型）を使用し、すべての原料を投入した後、１８０℃、回転速度５０回／分、６分間混練しサンプルを作製した。
【００４０】
（３）試験片作成方法
サンプルシート作製は、以下に従った。
物性評価用の試料は加熱プレス法（１８０℃、時間５分、圧力５０ｋｇ／ｃｍ２）により成形した各種厚さ（１．０ｍｍ、５．０ｍｍ）のシートを用いた。
【００４１】
（４）Ｅ硬度
５．０ｍｍ厚シートを重ね、ＪＩＳ  Ｋ７２１５プラスチックのデュロメーター硬さ試験法に準じ、２３±１℃の条件にてタイプＥのデュロメーター硬度を求めた。この硬度は瞬間値である。
【００４２】
（５）体積抵抗率測定
ＪＩＳ  Ｃ２１３９に準拠し、１．０ｍｍ厚さシートを任意の形状（５．０ｃｍ×５．０ｃｍ×１．０ｍｍ）、株式会社三菱ケミカルアナリテック社製ハイレスタＵＸＭＣＰ-ＨＴ８００を用い、２３±１℃の条件にて測定した。
【００４３】
実施例１〜４
成分（Ａ）水添ブロック共重合体、（Ｂ）オイルおよび（Ｃ）導電性付与材を使用し、表１に示す組成で混練を行い、導電性樹脂組成物を得て各物性の評価を行った。物性測定結果を表１に示す。
【００４４】
比較例
実施例１〜５と同じ条件で、ただし、成分（Ａ）水添ブロック共重合体、（Ｂ）オイルのみを使用し、表１に示す組成で混練を行い、熱可塑性樹脂組成物を得て各物性の評価を行った。物性測定結果を表１に示す。
【００４５】
【表１】
2019065080.tif 000002
表１の単位は質量部である。
実施例１〜５の結果より、成分（Ａ）特定の水添ブロック共重合体、（Ｂ）オイル、（Ｃ）導電性付与材を含んでなる樹脂組成物は、所定の軟質性と体積抵抗率を示すことが判る。これに対し、本発明の範囲外の比較例で得られた樹脂組成物は、軟質性は示すが、体積抵抗率が目標の範囲外になっている。